(57)【要約】      （修正有）【課題】折り畳みおよび組み立てが簡単で、広い保管スペースも不要な、折り畳み式ブースを提供する。【解決手段】折り畳み式ブース１０は、前壁部１２と、前壁部１２の一方側部に接続される第１側壁部１４と、前壁部１２の他方側部に接続される第２側壁部１６と、第１側壁部１４の後端部に接続される後壁部１８と、前壁部１２の内面に設けられる机部と、後壁部１８に揺動可能に設けられる扉部２１と、連結部４０とを備える。前壁部１２、第１側壁部１４、第２側壁部１６、後壁部１８、机部および扉部２１は、強化ダンボールからなり、折り畳み／組み立て可能に一体的に形成される。連結部４０は、連結棒４２と、連結棒４２の一端部を支持するための第１凹部４４ａを有しかつ後壁部１８に設けられる第１支持部４４と、連結棒４２の他端部を支持するための第２凹部４６ａを有しかつ第２側壁部１６に設けられる第２支持部４６とを含む。【選択図】図１
0003229932.tif 000002
【実用新案登録請求の範囲】
【請求項１】
前壁部と、
前記前壁部より幅広でありかつ前記前壁部の一方側部に接続される第１側壁部と、
前記前壁部より幅狭でありかつ前記前壁部の他方側部に接続される第２側壁部と、
前記第１側壁部の後端部に接続される後壁部と、
前記前壁部の内面に設けられる机部と、
前記第２側壁部と前記後壁部とを連結するための連結部とを備え、
前記前壁部、前記第１側壁部、前記第２側壁部、前記後壁部および前記机部は、折り畳み／組み立て可能に一体的に形成される、折り畳み式ブース。
【請求項２】
前記連結部は、
連結棒と、
前記連結棒の一端部を支持するための第１凹部を有しかつ前記後壁部に設けられる第１支持部と、
前記連結棒の他端部を支持するための第２凹部を有しかつ前記第２側壁部に設けられる第２支持部とを含む、請求項１に記載の折り畳み式ブース。
【請求項３】
前記後壁部と前記第２側壁部との間を開閉するために前記後壁部および前記第２側壁部のいずれか一方に揺動可能に設けられる扉部をさらに含む、請求項１または２に記載の折り畳み式ブース。
【請求項４】
組み立て時に前記前壁部と前記第１側壁部とがなす角度を維持するために前記前壁部と前記第１側壁部との接続箇所に設けられる第１角度維持部と、
組み立て時に前記前壁部と前記第２側壁部とがなす角度を維持するために前記前壁部と前記第２側壁部との接続箇所に設けられる第２角度維持部とをさらに含む、請求項１から３のいずれかに記載の折り畳み式ブース。
【請求項５】
前記第１角度維持部および前記第２角度維持部はそれぞれ、直角をなす２面を有し、
組み立て時において、前記第１角度維持部のうち直角をなす前記２面がそれぞれ前記前壁部および前記第１側壁部に接触し、かつ前記第２角度維持部のうち直角をなす前記２面がそれぞれ前記前壁部および前記第２側壁部に接触するように、前記第１角度維持部および前記第２角度維持部が構成される、請求項４に記載の折り畳み式ブース。
【請求項６】
組み立て時における前記第１角度維持部および前記第２角度維持部の前後方向の寸法は、前記机部の厚み以上である、請求項５に記載の折り畳み式ブース。
【請求項７】
支持棒をさらに含み、
前記第１角度維持部および前記第２角度維持部はそれぞれ、前記支持棒を支持するための凹部を有する、請求項４から６のいずれかに記載の折り畳み式ブース。
【請求項８】
前記前壁部、前記第１側壁部、前記第２側壁部、前記後壁部および前記机部が強化ダンボールからなる、請求項１から７のいずれかに記載の折り畳み式ブース。
【考案の詳細な説明】
【技術分野】
【０００１】
この考案は折り畳み式ブースに関し、より特定的には、テレワーク等に用いられる折り畳み式ブースに関する。
【背景技術】
【０００２】
この種の従来技術の一例として、特許文献１に、天井パネルと、床パネルと、前後左右の四方の壁パネルとによって構成される個室ボックスが開示されている。この個室ボックスでは、各パネルは軽量パネルで構成され、天井パネルおよび壁パネルには、取り外し自在の窓が取り付けられている。相対する１対の壁パネルには着脱可能なスライド式ドアが設けられ、当該スライド式ドア以外の各４面の壁パネルは折り曲げ可能に構成される。スライド式ドアが設けられる相対する壁パネル２面と他の任意の１面の壁パネルとには、個室ボックスの内側に折り曲げられるように、水平方向に折曲軸が２箇所設けられる。残りの１面の壁パネルには、水平方向に折曲軸が１箇所設けられ、その上端部は天井パネルから着脱自在である。
【０００３】
このような個室ボックスの不使用時には、まず、スライド式ドア、および各パネルの窓を取り外す。そして、ロック手段を解除し、上記の残りの１面の壁パネルを天井パネルから切り離し、折曲軸が２箇所の壁パネルを個室ボックスの内側に折り曲げ、天井パネルを下げた後に、残りの折曲軸が１箇所の壁パネルを天井パネルの上面に折り曲げる。このように壁パネルを折り曲げることによって、高さが低くなるようにボックスを折り畳むことができる。また、逆の手順により、個室ボックスを組み立てることができる。
【先行技術文献】
【特許文献】
【０００４】
【特許文献１】特許第３９９４０６５号公報
【考案の概要】
【考案が解決しようとする課題】
【０００５】
特許文献１の個室ボックスは、上述のようにして折り畳むことができるが、その際、スライド式ドア、および各パネルの窓を取り外し、その後ロック手段を解除した上で、壁パネルを折り曲げる必要がある。一方、組み立ての際には、折り曲げられた壁パネルを伸長させた上でロック手段で支持し、その後、各パネルの窓およびスライド式ドアを取り付ける必要がある。このように、特許文献１の個室ボックスは、折り畳みおよび組み立てのいずれの作業においても手間がかかる。また、保管時には、個室ボックスを分解して、個室ボックスから多くの部材を分離して保管しなければならず、かつ少なくとも床パネルの床面積以上のエリアが必要となり、広い保管スペースが必要になる。
【０００６】
それゆえに、この考案の主たる目的は、折り畳みおよび組み立てが簡単で、広い保管スペースも不要な、折り畳み式ブースを提供することである。
【課題を解決するための手段】
【０００７】
上述の目的を達成するために、前壁部と、前壁部より幅広でありかつ前壁部の一方側部に接続される第１側壁部と、前壁部より幅狭でありかつ前壁部の他方側部に接続される第２側壁部と、第１側壁部の後端部に接続される後壁部と、前壁部の内面に設けられる机部と、第２側壁部と後壁部とを連結するための連結部とを備え、前壁部、第１側壁部、第２側壁部、後壁部および机部は、折り畳み／組み立て可能に一体的に形成される、折り畳み式ブースが提供される。
【０００８】
この考案では、組み立て完成時において、前壁部の一方側部から後方に第１側壁部が延び、前壁部の他方側部から後方に第２側壁部が延び、前壁部に対向するように後壁部が設けられ、前壁部の内面には水平方向に延びるように机部が設けられる。このとき、第２側壁部と後壁部とは離れているが、第２側壁部と後壁部とが連結部によって連結されることによって、前壁部、第１側壁部、第２側壁部および後壁部を所望の位置関係に保ち、ブースの外形を維持できる。このようにして、前壁部、第１側壁部、第２側壁部および後壁部によって囲まれかつ机部を備えた個室空間を形成できる。
【０００９】
組み立て完成状態から折り畳むとき、たとえば、次の手順によりブースを折り畳むことができる。まず、連結部による第２側壁部と後壁部との連結を解除し、前壁部に対して机部を上方に折り畳んだのち、前壁部との間で机部を挟むように第２側壁部を前壁部の内面に向けて折り畳む。ついで、第１側壁部との間で第２側壁部を挟むように前壁部を第１壁部に向けて折り畳み、さらに、第１側壁部との間で前壁部および第２側壁部を挟むように後壁部を前壁部の外面に向けて折り畳む。このようにして、組み立て完成状態のブースの配置エリア内で、すなわち狭いスペースで折り畳み作業を簡単に行え、後壁部、前壁部、机部、第２側壁部、第1側壁部の順に重なるように、ブースをコンパクトに折り畳むことができる。また、連結部を除く部材は、一体化された状態で折り畳まれるので、ブースの保管に広いスペースは不要である。折り畳まれたブースは、たとえば壁に立て掛けることができる。
【００１０】
一方、折り畳み状態から組み立てるとき、上述とは逆の手順によりブースを組み立てることができる。まず、前壁部の外面に対して後壁部を開いたのち、前壁部および第２側壁部を第１側壁部に対して開く。ついで、前壁部の内面に対して第２側壁部を開き、さらに、前壁部に対して机部を開く。これにより、前壁部の一方側部から後方に第１側壁部が延び、前壁部の他方側部から後方に第２側壁部が延び、前壁部に対向するように後壁部が設けられ、前壁部から水平方向に延びるように机部が設けられる。そして、第２側壁部と後壁部とが連結部によって連結され、ブースの組み立てが完成する。このようにして、組み立て完成状態のブースの配置エリア内で、すなわち狭いスペースで組み立て作業を簡単に行える。
【００１１】
好ましくは、連結部は、連結棒と、連結棒の一端部を支持するための第１凹部を有しかつ後壁部に設けられる第１支持部と、連結棒の他端部を支持するための第２凹部を有しかつ第２側壁部に設けられる第２支持部とを含む。この場合、連結棒の一端部を第１凹部に係合させ、連結棒の他端部を第２凹部に係合させるだけで、連結棒を介して第２側壁部と後壁部とを簡単に連結できる。
【００１２】
また好ましくは、後壁部と第２側壁部との間を開閉するために後壁部および第２側壁部のいずれか一方に揺動可能に設けられる扉部をさらに含む。この場合、扉部によって後壁部と第２側壁部との間を閉じることで、外部との遮断性を高めた個室空間をブース内に簡単に実現できるとともに、ブースの外形をより安定的に維持できる。
【００１３】
さらに好ましくは、組み立て時に前壁部と第１側壁部とがなす角度を維持するために前壁部と第１側壁部との接続箇所に設けられる第１角度維持部と、組み立て時に前壁部と第２側壁部とがなす角度を維持するために前壁部と第２側壁部との接続箇所に設けられる第２角度維持部とをさらに含む。この場合、組み立て時において、前壁部と第１側壁部とのなす角度を第１角度維持部によって所望の角度に容易に維持できるとともに、前壁部と第２側壁部とのなす角度を第２角度維持部によって所望の角度に容易に維持でき、ブースの外形を容易に維持できる。
【００１４】
好ましくは、第１角度維持部および第２角度維持部はそれぞれ、直角をなす２面を有し、組み立て時において、第１角度維持部のうち直角をなす２面がそれぞれ前壁部および第１側壁部に接触し、かつ第２角度維持部のうち直角をなす２面がそれぞれ前壁部および第２側壁部に接触するように、第１角度維持部および第２角度維持部が構成される。この場合、前壁部と第１側壁部とのなす角度を第１角度維持部によって略９０度に容易に維持でき、前壁部と第２側壁部とのなす角度を第２角度維持部によって略９０度に容易に維持できる。
【００１５】
なお、第１角度維持部および第２角度維持部に含まれる「直角をなす２面」の「直角」は、完全な直角に限定されず、実質的な直角（略直角）も含む。
【００１６】
また好ましくは、組み立て時における第１角度維持部および第２角度維持部の前後方向の寸法は、机部の厚み以上である。この場合、前壁部に対して机部を折り畳んだとき、机部は第１角度維持部および第２角度維持部より後方に突出しない。したがって、机部を折り畳んだ状態で、前壁部に対して第１側壁部および第２側壁部を折り畳むとき、机部が邪魔になることなく、第１側壁部および第２側壁部を円滑かつコンパクトに折り畳むことができる。
【００１７】
さらに好ましくは、支持棒をさらに含み、第１角度維持部および第２角度維持部はそれぞれ、支持棒を支持するための凹部を有する。この場合、第１角度維持部および第２角度維持部のそれぞれに設けられた凹部に、支持棒の両端部を係合させるだけで、前壁部の手前において支持棒を左右方向に延びるように設けることができる。この支持棒には、資料や小物類等を吊るすことができ、ブースの利便性を高めることができる。
【００１８】
好ましくは、前壁部、第１側壁部、第２側壁部、後壁部および机部が強化ダンボールからなる。この場合、軽くて強い強化ダンボールを用いることによって、ブースの折り畳みおよび組み立てが容易になり、また、組み立てられたブースの強度を高く維持できる。さらに、ブースの廃棄も容易となる。
【考案の効果】
【００１９】
この考案によれば、折り畳みおよび組み立てが簡単で、広い保管スペースも不要な、折り畳み式ブースが得られる。
【図面の簡単な説明】
【００２０】
【図１】この考案の一実施形態に係る折り畳み式ブースを組み立てた状態を示す斜視図である。
【図２】第２側壁部の側壁部本体および後壁部を取り外した状態の折り畳み式ブースの内部構造を示す斜視図である。
【図３】図１の折り畳み式ブースの組み立て完成時の状態を示す平面図である。
【図４】図１の折り畳み式ブースの主要部を展開した状態を示す展開図であり、（ａ）は正面図、（ｂ）は平面図である。
【図５】（ａ）および（ｂ）は、ブースの折り畳みの手順を示す図解図である。
【図６】（ａ）および（ｂ）は、ブースの折り畳みの手順の図５の続きを示す図解図である。
【図７】（ａ）および（ｂ）は、ブースの折り畳みの手順の図６の続きを示す図解図である。
【図８】図１の折り畳み式ブースの主要部を折り畳んだ状態を示す平面図である。
【考案を実施するための形態】
【００２１】
以下、図面を参照してこの考案の実施の形態について説明する。
【００２２】
図１から図４を参照して、この考案の一実施形態に係る折り畳み式ブース１０は、前壁部１２と、第１側壁部１４と、第２側壁部１６と、後壁部１８と、机部２０と、扉部２１とを含む。この実施形態では、前壁部１２、第１側壁部１４、第２側壁部１６、後壁部１８、机部２０および扉部２１は、強化ダンボールからなり、折り畳み／組み立て可能に一体的に形成される。
【００２３】
前壁部１２は、縦長の長方形状に形成される。
【００２４】
第１側壁部１４は、前壁部１２より幅広でありかつ縦長の長方形状に形成され、前壁部１２の一方側部（この実施形態では、右側部）に接続される。第１側壁部１４は、側壁部本体１４ａと、側壁部本体１４ａの前端部に設けられる短冊状のマチ部１４ｂと、側壁部本体１４ａの後端部に設けられる短冊状のマチ部１４ｃとを含む。マチ部１４ｂおよび１４ｃはそれぞれ、側壁部本体１４ａに対して折り曲げ可能に設けられる。この実施形態では、折り畳み式ブース１０が組み立てられたとき、マチ部１４ｃによって折り畳み式ブース１０の右後端部は面取りされている。
【００２５】
第２側壁部１６は、前壁部１２より幅狭でありかつ縦長の長方形状に形成され、前壁部１２の他方側部（この実施形態では、左側部）に接続される。第２側壁部１６は、側壁部本体１６ａと、側壁部本体１６ａの前端部に設けられる短冊状のマチ部１６ｂとを含む。マチ部１６ｂは、側壁部本体１６ａに対して折り曲げ可能に設けられる。
【００２６】
後壁部１８は、前壁部１２と略同寸法でありかつ縦長の長方形状に形成され、第１側壁部１４の後端部のマチ部１４ｃに接続される。
【００２７】
扉部２１は、後壁部１８と第２側壁部１６との間を開閉するために後壁部１８における第１側壁部１４とは反対側の側部に揺動可能に設けられる。扉部２１の高さ寸法は、後壁部１８の高さ寸法より小さく、扉部２１の上端部は、後壁部１８の上端部より低く、扉部２１の下端部は、後壁部１８の下端部より高い。組み立て時には、扉部２１の前端部近傍の内面が、たとえば面ファスナ等で第２側壁部１６の後端部近傍の外面に固定される。一方、折り畳み時には、扉部２１の内面は、たとえば面ファスナ等で後壁部１８の内面に固定され、扉部２１の外面は、たとえば面ファスナ等で前壁部１２の外面に固定される。
【００２８】
前壁部１２の内面の上下方向略中央部には、机部２０が上下方向に折り畳み可能に一体的に設けられる。机部２０は、前壁部１２の内面に取り付けられる取付部２０ａと、取付部２０ａの下端部に揺動可能に一体的に設けられる机部本体２０ｂとを含む。取付部２０ａおよび机部本体２０ｂはともに、横長の長方形状に形成され、左右方向に延びるように形成される。組み立て時には、机部本体２０ｂは、取付部２０ａに対して略９０度の角度を有するように開かれる。言い換えれば、取付部２０ａと机部本体２０ｂとがＬ字を形成するように、机部本体２０ｂは開かれる。一方、折り畳み時には、机部本体２０ｂは、たとえば面ファスナ等で取付部２０ａに固定される。
【００２９】
第１側壁部１４および第２側壁部１６にはそれぞれ、机部２０を下方から支持するための支持部２２，２４が上下方向に折り畳み可能に設けられる。この実施形態では、支持部２２，２４は、強化ダンボールからなる。支持部２２は、第１側壁部１４の内面に取り付けられる長方形状の取付部２２ａと、取付部２２ａの上端部に揺動可能に一体的に設けられる長方形状の支持部本体２２ｂとを含む。組み立て時には、支持部本体２２ｂは、取付部２２ａに対して略９０度の角度を有するように折り曲げられる。言い換えれば、取付部２２ａと支持部本体２２ｂとがＬ字を形成するように、支持部本体２２ｂは折り曲げられる。一方、折り畳み時には、支持部本体２２ｂは、たとえば面ファスナ等で第１側壁部１４の側壁部本体１４ａの内面に固定される。同様に、支持部２４は、第２側壁部１６の内面に取り付けられる長方形状の取付部２４ａと、取付部２４ａの上端部に揺動可能に一体的に設けられる長方形状の支持部本体２４ｂとを含む。組み立て時には、支持部本体２４ｂは、取付部２４ａに対して略９０度の角度を有するように折り曲げられる。言い換えれば、取付部２４ａと支持部本体２４ｂとがＬ字を形成するように、支持部本体２４ｂは折り曲げられる。一方、折り畳み時には、支持部本体２４ｂは、たとえば面ファスナ等で第２側壁部１６の側壁部本体１６ａの内面に固定される。また、支持部２２，２４は、組み立て時において支持部本体２２ｂ，２４ｂの上面が机部本体２０ｂの下面と略同一高さになるように設けられ、支持部本体２２ｂ，２４ｂによって机部本体２０ｂが下方両側から支持される。このとき、支持部本体２２ｂ，２４ｂは、たとえば面ファスナ等で机部本体２０ｂの下面に固定される。
【００３０】
また、第１側壁部１４および第２側壁部１６にはそれぞれ、窓２６，２８が設けられる。窓２６，２８にはそれぞれ、透明フィルム２６ａ，２８ａが取り付けられる。透明フィルム２６ａ，２８ａは、たとえば厚み０．５ｍｍのＰＥＴからなる。
【００３１】
さらに、前壁部１２の一側部には机部２０を挟むように、第１角度維持部３０，３２が設けられる。第１角度維持部３０は、机部２０より上方に設けられ、第１角度維持部３２は、机部２０より下方に設けられる。第１角度維持部３０，３２は、組み立て時に前壁部１２と第１側壁部１４とがなす角度を維持するために、前壁部１２と第１側壁部１４との接続箇所に設けられる。同様に、前壁部１２の他側部には机部２０を挟むように、第２角度維持部３４，３６が設けられる。第２角度維持部３４は、机部２０より上方に設けられ、第２角度維持部３６は、机部２０より下方に設けられる。第２角度維持部３４，３６は、組み立て時に前壁部１２と第２側壁部１６とがなす角度を維持するために、前壁部１２と第２側壁部１６との接続箇所に設けられる。この実施形態では、第１角度維持部３０，３２および第２角度維持部３４，３６は、強化ダンボールからなる。
【００３２】
第１角度維持部３０，３２および第２角度維持部３４，３６はそれぞれ、直角三角筒状に形成される。第１角度維持部３０，３２は、第２角度維持部３４，３６より太く（大きい断面積を有するように）形成される。第１角度維持部３０，３２は、略同じ太さ（断面積）を有し、第１角度維持部３２は、第１角度維持部３０よりやや長く形成される。第２角度維持部３４，３６は、略同じ太さ（断面積）を有し、第２角度維持部３６は、第２角度維持部３４よりやや長く形成される。少なくとも組み立て時において、第１角度維持部３０，３２のうち直角をなす２面がそれぞれ、前壁部１２および第１側壁部１４に接触し、第２角度維持部３４，３６のうち直角をなす２面がそれぞれ、前壁部１２および第２側壁部１６に接触する。この実施形態では、第１角度維持部３０，３２のうち直角をなす２面は予め、前壁部１２の一側部と第１側壁部１４の前端部に位置するマチ部１４ｂとに取り付けられ、第２角度維持部３４，３６の直角をなす２面は予め、前壁部１２の他側部と第２側壁部１６の前端部に位置するマチ部１６ｂとに取り付けられる。
【００３３】
図２および図３を参照して、この実施形態では、組み立て時における第１角度維持部３０，３２の前後方向の寸法をＬ１、組み立て時における第２角度維持部３４，３６の前後方向の寸法をＬ２、机部２０の厚み（取付部２０ａの厚み＋机部本体２０ｂの厚み）をＴ、マチ部１４ｂ，１４ｃ，１６ｂの幅をそれぞれＷ１，Ｗ２，Ｗ３とすると、Ｌ２＜Ｌ１、Ｔ≦Ｌ１＜Ｗ１、Ｔ≦Ｌ２＜Ｗ３である。また、Ｔ＜Ｗ３＜Ｗ１＜Ｗ２であることが好ましい。
【００３４】
図１、図２および図４を参照して、第１角度維持部３０および第２角度維持部３４はそれぞれ、支持棒３８を支持するための複数の凹部３０ａおよび複数の凹部３４ａを有する。この実施形態では、凹部３０ａおよび凹部３４ａは、同じ高さに設けられかつ上下に間隔をあけて３つずつ設けられる。たとえば同じ高さの凹部３２ａ，３４ａによって、支持棒３８の両端部が支持される。
【００３５】
また、図１および図３を参照して、第２側壁部１６と後壁部１８とは、連結部４０によって連結される。連結部４０は、連結棒４２と、第１支持部４４と、第２支持部４６とを含む。
【００３６】
連結棒４２は、棒本体４２ａを含む。棒本体４２ａの一端部には、２つの円板部４２ｂが間隔をあけて設けられ、同様に、棒本体４２ａの他端部には、２つの円板部４２ｃが間隔をあけて設けられる。２つの円板部４２ｂおよび２つの円板部４２ｃは、棒本体４２ａと同軸上に設けられる。第１支持部４４は、後壁部１８の上隅部（組立時における第２側壁部１６側の上隅部）に設けられる。言い換えれば、後壁部１８の上隅部が第１支持部４４に兼用される。第１支持部４４は、連結棒４２の一端部を支持するための切欠状の第１凹部４４ａを含む。第２支持部４６は、略三角筒状に形成され、第２側壁部１６の上隅部（組立時における後側上隅部）の内面に設けられる。第２支持部４６は、連結棒４２の他端部を支持するための切欠状の第２凹部４６ａを有する。このように、第１支持部４４は後壁部１８に設けられ、第２支持部４６は第２側壁部１６に設けられる。この実施形態では、第１支持部４４および第２支持部４６は、強化ダンボールからなる。連結棒４２のうち、２つの円板部４２ｂの間が第１凹部４４ａに嵌められかつ２つの円板部４２ｃの間が第２凹部４６ａに嵌められた状態において、前壁部１２と後壁部１８とが略平行に位置し、かつ第１側壁部１４と第２側壁部１６とが略平行に位置するように、連結棒４２は形成される。また、この状態において、連結棒４２の軸方向が前後方向となるように第１凹部４４ａおよび第２凹部４６ａが位置決めされる。マチ部１４ｂ，１４ｃの略中央部にはそれぞれ、把手４８が取り付けられる。
【００３７】
このような折り畳み式ブース１０では、組み立て完成時において、前壁部１２の一方側部から後方に第１側壁部１４が延び、前壁部１２の他方側部から後方に第２側壁部１６が延び、前壁部１２に対向するように後壁部１８が設けられ、前壁部１２の内面には水平方向に延びるように机部２０が設けられる。このとき、第２側壁部１６と後壁部１８とは離れているが、第２側壁部１６と後壁部１８とが扉部２１および連結部４０によって連結されることによって、前壁部１２、第１側壁部１４、第２側壁部１６および後壁部１８を所望の位置関係に保ち、折り畳み式ブース１０の外形を維持できる。このようにして、前壁部１２、第１側壁部１４、第２側壁部１６、後壁部１８および扉部２１によって囲まれかつ机部２０を備えた個室空間を形成できる。この実施形態では、折り畳み式ブース１０の組み立て完成時における外寸は、幅８００ｍｍ×長さ１１００ｍｍ×高さ１６００ｍｍ程度に設定される。
【００３８】
図２および図５から図７を参照して、折り畳み式ブース１０の折り畳み手順および組み立て手順について説明する。
【００３９】
組み立て完成状態から折り畳むとき、まず、連結棒４２を第１凹部４４ａおよび第２凹部４６ａから取り外して、連結部４０による第２側壁部１６と後壁部１８との連結を解除し（図５（ａ）参照）、前壁部１２に対して机部２０を上方に折り畳むとともに、支持部２２，２４をそれぞれ、第１側壁部１４および第２側壁部１６に対して上方に折り畳む（図２および図５（ｂ）参照）。その後、前壁部１２との間で机部２０を挟むように第２側壁部１６を前壁部１２の内面に向けて折り畳む（図６（ａ）参照）。このとき、側壁部本体１６ａを、マチ部１６ｂに対して揺動させて折り畳む。ついで、第１側壁部１４との間で第２側壁部１６を挟むように前壁部１２を第１壁部１４に向けて折り畳む（図６（ｂ）参照）。このとき、マチ部１４ｂを、側壁部本体１４ａに対して揺動させて折り畳む。つぎに、扉部２１を後壁部１８の内面に向けて折り畳む（図７（ａ）参照）。さらに、第１側壁部１４との間で前壁部１２および第２側壁部１６を挟むように後壁部１８を前壁部１２の外面に向けて折り畳む(図７（ｂ）参照)。このとき、後壁部１８を、マチ部１４ｃに対して揺動させて折り畳む。このようにして、組み立て完成状態の折り畳み式ブース１０の配置エリア内で、すなわち狭いスペースで折り畳み作業を簡単に行え、後壁部１８、扉部２１、前壁部１２、机部２０、第２側壁部１６、第1側壁部１４の順に重なるように（図８参照）、折り畳み式ブース１０をコンパクトに折り畳むことができる。この実施形態では、折り畳み時のブース１０の横幅および厚みはそれぞれ、第１側壁部１４の側壁部本体１４ａの幅およびマチ部１４ｃの幅Ｗ２程度であり、折り畳み時のブース１０をコンパクトにできる。また、連結棒４２および支持棒３８を除く部材は、一体化された状態で折り畳まれるので、ブース１０の保管に広いスペースは不要である。折り畳まれたブース１０は、把手４８を掴んで容易に持ち運びでき、たとえば壁に立て掛けることができる。
【００４０】
一方、折り畳み状態から組み立てるとき、上述とは逆の手順によりブース１０を組み立てることができる。まず、図７（ｂ）に示す折り畳み状態から、前壁部１２の外面に対して後壁部１８を開いたのち（図７（ａ）参照）、扉部２１を後壁部１８の内面に対して開き（図６（ｂ）参照）、さらに、前壁部１２および第２側壁部１６を第１側壁部１４に対して開く（図６（ａ）参照）。ついで、前壁部１２の内面に対して第２側壁部１６を開く（図５（ｂ）参照）。さらに、第１側壁部１４および第２側壁部１６に対して支持部２２，２４を開くとともに、前壁部１２に対して机部２０を開く（図２参照）。このとき、机部２０が支持部２２，２４によって下方から支持される。これにより、前壁部１２の一方側部から後方に第１側壁部１４が延び、前壁部１２の他方側部から後方に第２側壁部１６が延び、前壁部１２に対向するように後壁部１８が設けられ、前壁部１２から水平方向に延びるように机部２０が設けられる。そして、第２側壁部１６と後壁部１８とが扉部２１によって連結されるとともに、第１凹部４４ａおよび第２凹部４６ａに連結棒４２の両端部が嵌められて（図５（ａ）参照）、第２側壁部１６と後壁部１８とが連結部４０によって連結され、折り畳み式ブース１０の組み立てが完成する。このようにして、組み立て完成状態の折り畳み式ブース１０の配置エリア内で、すなわち狭いスペースで組み立て作業を簡単に行える。
【００４１】
組み立て完成状態の折り畳み式ブース１０において、机部２０の手前に椅子（図示せず）を配置することで、たとえばテレワーク用ブースとして好適に用いることができる。
【００４２】
連結棒４２の一端部を第１凹部４４ａに嵌め、連結棒４２の他端部を第１凹部４６ａに嵌めるだけで、連結棒４２を介して第２側壁部１６と後壁部１８とを簡単に連結できる。
【００４３】
扉部２１によって後壁部１８と第２側壁部１６との間を閉じることで、外部との遮断性を高めた個室空間を折り畳み式ブース１０内に簡単に実現できるとともに、折り畳み式ブース１０の外形をより安定的に維持できる。
【００４４】
組み立て時において、前壁部１２と第１側壁部１４とのなす角度を第１角度維持部３０，３２によって所望の角度に容易に維持できるとともに、前壁部１２と第２側壁部１６とのなす角度を第２角度維持部３４，３６によって所望の角度に容易に維持でき、折り畳み式ブース１０の外形を容易に維持できる。
【００４５】
第１角度維持部３０，３２および第２角度維持部３４，３６はそれぞれ、直角をなす２面を有するので、前壁部１２と第１側壁部１４とのなす角度を第１角度維持部３０，３２によって略９０度に容易に維持でき、前壁部１２と第２側壁部１６とのなす角度を第２角度維持部３４，３６によって略９０度に容易に維持できる。
【００４６】
第１角度維持部３０，３２の寸法Ｌ１および第２角度維持部３４，３６の寸法Ｌ２は、机部２０の厚みＴ以上であるので、前壁部１２に対して机部２０を折り畳んだとき、机部２０は第１角度維持部３０，３２および第２角度維持部３４，３６より後方に突出しない。したがって、机部２０を折り畳んだ状態で、前壁部１２に対して第１側壁部１４および第２側壁部１６を折り畳むとき、机部２０が邪魔になることなく、第１側壁部１４および第２側壁部１６を円滑かつコンパクトに折り畳むことができる。
【００４７】
また、マチ部１４ｂ，１４ｃ，１６ｂの幅Ｗ１，Ｗ２，Ｗ３を、Ｗ３＜Ｗ１＜Ｗ２に設定すると、第１側壁部１４に対して前壁部１２および後壁部１８を一層折り畳み易くなる。
【００４８】
第１角度維持部３０および第２角度維持部３４のそれぞれに設けられた凹部３０ａ，３４ａに、支持棒３８の両端部をはめ込むだけで、前壁部１２の手前において支持棒３８を左右方向に延びるように設けることができる。支持棒３８には、資料や小物類等を吊るすことができ、折り畳み式ブース１０の利便性を高めることができる。
【００４９】
軽くて強い強化ダンボールを用いることによって、折り畳み式ブース１０の折り畳みおよび組み立てが容易になり、また、組み立てられた折り畳み式ブース１０の強度を高く維持できる。さらに、折り畳み式ブース１０の廃棄も容易となる。
【００５０】
なお、上述の実施形態では、扉部２１は、後壁部１８に揺動可能に一体的に設けられたが、これに限定されない。扉部２１は、第２側壁部１６に揺動可能に一体的に設けられてもよい。
【００５１】
また、扉部２１は、なくてもよい。この場合、連結棒４２にカーテンが取り付けられることが好ましい。
【００５２】
上述の実施形態では、前壁部１２の右側部に第１側壁部１４が接続され、前壁部１２の左側部に第２側壁部１６が接続されたが、これに限定されない。これとは逆に、前壁部１２の左側部に第１側壁部１４が接続され、前壁部１２の右側部に第２側壁部１６が接続されてもよい。この場合、扉部２１すなわち出入口は、ブースの右側に設けられる。
【００５３】
上述の実施形態では、第１角度維持部３０，３２は予め、前壁部１２の一側部と第１側壁部１４の前端部とに取り付けられ、第２角度維持部３４，３６は予め、前壁部１２の他側部と第２側壁部１６の前端部とに取り付けられたが、これに限定されない。第１角度維持部３０，３２は、組み立て時に前壁部１２と第１側壁部１４との接続箇所に設けられる限りにおいて、予め、前壁部１２の一側部および第１側壁部１４の前端部のいずれか一方にのみ取り付けられてもよい。同様に、第２角度維持部３４，３６は、組み立て時に前壁部１２と第２側壁部１６との接続箇所に設けられる限りにおいて、予め、前壁部１２の他側部および第２側壁部１６の前端部のいずれか一方にのみ取り付けられてもよい。
【００５４】
上述の実施形態では、第１角度維持部３０，３２および第２角度維持部３４，３６は、直角三角筒状に形成されたが、これに限定されない。組み立て時に前壁部１２と第１側壁部１４とがなす角度および前壁部１２と第２側壁部１６とがなす角度をともに略９０度に維持する場合には、第１角度維持部および第２角度維持部はそれぞれ、直角をなす２面を有すればよく、たとえば立方体状や直方体状に形成されてもよい。
【００５５】
また、組み立て時に前壁部１２と第１側壁部１４とがなす角度および前壁部１２と第２側壁部１６とがなす角度を９０度以外の所定角度（たとえば略１２０度）に維持するように折り畳み式ブースが構成されてもよい。この場合、前壁部１２と第１側壁部１４とがなす角度および前壁部１２と第２側壁部１６とがなす角度を所定角度に維持するように、第１角度維持部および第２角度維持部が構成される。
【００５６】
折り畳み式ブース１０は、テレワーク用に限定されず、更衣室や休憩室などの多目的個室スペースとして用いることができる。折り畳み式ブース１０を更衣室として用いる場合には、扉部の上下方向の寸法を図１に示す扉部２１より大きくすることが好ましく、また、窓２６，２８を設けないことが好ましい。折り畳み式ブース１０を休憩室として用いる場合には、組み立て完成時における外寸は、たとえば幅１２００ｍｍ×長さ２０００ｍｍ×高さ１６００ｍｍ程度に設定することが好ましい。
【符号の説明】
【００５７】
１０      折り畳み式ブース
１２      前壁部
１４      第１側壁部
１６      第２側壁部
１８      後壁部
２０      机部
２１      扉部
３０，３２      第１角度維持部
３０ａ，３４ａ      凹部
３４，３６      第２角度維持部
３８      支持棒
４０      連結部
４２      連結棒
４４      第１支持部
４４ａ      第１凹部
４６      第２支持部
４６ａ      第２凹部
Ｌ１      第１角度維持部の前後方向の寸法
Ｌ２      第２角度維持部の前後方向の寸法
Ｔ      机部の厚み
Ｗ１，Ｗ２，Ｗ３      マチ部の幅
【図１】
0003229932.tif 000003
【図２】
0003229932.tif 000004
【図３】
0003229932.tif 000005
【図４】
0003229932.tif 000006
【図５】
0003229932.tif 000007
【図６】
0003229932.tif 000008
【図７】
0003229932.tif 000009
【図８】
0003229932.tif 000010